【手続補正書】
【提出日】平成19年1月5日(2007.1.5)
【手続補正１】
【補正対象書類名】特許請求の範囲
【補正対象項目名】全文
【補正方法】変更
【補正の内容】
【特許請求の範囲】
【請求項１】
メモリ、ディスプレイおよびインターフェース選択デバイスを含むデバイス上で、格納されたコンテンツをナビゲートするための方法において、
前記デバイス内の現在のチャネルを識別するステップであって、前記デバイスは、前記現在のチャネルに関連付けられているチャネルビューのための、格納されたコンテンツを含むステップと、
所定の時間間隔が能動的ユーザインタラクションなしに満了した場合、受動的ナビゲーション動作状態を起動するステップであって、前記現在のチャネルに関連付けられている前記コンテンツが、前記受動的ナビゲーション動作状態において能動的ユーザインタラクションなしに受動的に閲覧されるステップと、
受動的ナビゲーション動作状態が能動的になった場合、前記現在のチャネルについての現在のチャネルビューと関連付けられているコンテンツを取り出すステップであって、前記コンテンツは前記デバイスのメモリから他のデバイスとのインタラクションなしに取り出されるステップと、
前記デバイスのディスプレイを、当該取り出された、前記現在のチャネルのチャネルビューのためのコンテンツで更新するステップと、
能動的ユーザインタラクションに応答して、能動的ナビゲーション動作状態を起動するステップであって、前記現在のチャネルに関連付けられている前記コンテンツが、前記能動的ナビゲーション動作状態において能動的ユーザインタラクションに応答して能動的に閲覧されるステップと
を備えることを特徴とする格納されたコンテンツをナビゲートするための方法。
【請求項２】
前記デバイスの前記ディスプレイ上の現在のチャネルビューの挙動が前記現在のチャネルのコンテキスト内で指定されることを特徴とする請求項１に記載の格納されたコンテンツをナビゲートするための方法。
【請求項３】
前記現在のチャネルに関連付けられているルールセットを露出するステップ、および、前記露出されたルールセットを、前記現在のチャネルのための、前記デバイスのメモリに格納されているチャネルビューに適用して、使用可能なチャネルビューを提供するステップをさらに備え、前記ディスプレイ上の現在のチャネルビューは前記使用可能なチャネルビューの１つに対応することを特徴とする請求項１に記載の格納されたコンテンツをナビゲートするための方法。
【請求項４】
メモリおよびディスプレイを含むデバイス上で、格納されたコンテンツをナビゲートするための方法であって、
前記デバイス内のカスタマイズされたチャネルを識別するステップと、
前記デバイス内で前記カスタマイズされたチャネルから別のチャネルを参照するステップであって、前記デバイスは、他のチャネルに関連付けられている、格納されたコンテンツを含むステップと、
格納されており、他のチャネルと関連付けられたコンテンツを前記デバイスのメモリから、他のデバイスとのインタラクションなしに取り出すステップと、
前記他のチャネルが前記カスタマイズされたチャネルによって参照された場合、前記他のチャネルのための、取り出されたコンテンツに関連付けられているルールセットを露出するステップと、
前記他のチャネルが前記カスタマイズされたチャネルによって参照された場合、前記露出されたルールセットを、前記他のチャネルに関連付けられているチャネルビューに適用するステップと、
前記他のチャネルが前記カスタマイズされたチャネルによって参照された場合、前記チャネルビューに関連付けられたコンテンツを閲覧するために前記ディスプレイを更新するステップと
を備えることを特徴とする格納されたコンテンツをナビゲートするための方法。
【請求項５】
ディスプレイおよびインターフェース選択デバイスを含むデバイス上で、応答して、格納されたコンテンツをナビゲートするための方法において、
前記デバイス内のチャネルを識別するステップであって、前記デバイスは、前記チャネルのためのチャネルビューに関連付けられている、格納されたコンテンツを含むステップと、
受動的および能動的ユーザインタラクションのうち少なくとも１つに応答して、前記チャネルを選択するステップと、
前記チャネルが選択される場合、前記チャネルに関連付けられているルールセットを露出するステップであって、そこでは、前記チャネルがメッセージチャネルである場合、利用可能なチャネルビューが前記チャネルに関連付けられている、未読のメッセージと対応するように前記ルールセットが構成されているステップと、
前記露出されたルールセットを、前記チャネルに関連付けられているチャネルビューに適用して、使用可能なチャネルビューを提供するステップと、
前記使用可能なチャネルビューに関連付けられたコンテンツを閲覧するために前記ディスプレイを更新するステップと
を備えることを特徴とする格納されたコンテンツをナビゲートするための方法。
【請求項６】
ディスプレイ、メモリおよびインターフェース選択デバイスを含むデバイス上で、格納されたコンテンツを受動的にナビゲートするための方法において、
前記デバイス内の現在のチャネルを識別するステップであって、前記デバイスは、前記現在のチャネルに関連付けられている、格納されたコンテンツを含むステップと、
所定の時間間隔が能動的ユーザインタラクションなしに満了した場合、受動的ナビゲーション動作状態を起動するステップと、
前記デバイスがグランスビュー動作状態である場合、前記現在のチャネルに関連付けられているグランサブルチャネルビューを選択するステップと、
前記受動的ナビゲーション動作状態が能動的になった場合、前記現在のチャネルのためのグランサブルチャネルビューと関連付けられたコンテンツを取り出すステップであって、そこでは、前記コンテンツは前記デバイスのメモリから他のデバイスとのインタラクションなしに取り出されるステップと、
前記デバイスに関連付けられた表示ビューが前記選択されたグランサブルチャネルビューのための取り出されたコンテンツに対応するように、前記ディスプレイを更新するステップと
を備えることを特徴とする方法。
【請求項７】
ディスプレイおよびインターフェース選択デバイスを含むデバイス上で、格納されたコンテンツを受動的にナビゲートするための方法において、
前記デバイス内の現在のチャネルを識別するステップであって、前記デバイスは、前記現在のチャネルのためのチャネルビューに関連付けられている、格納されたコンテンツを含むステップと、
前記デバイスがグランスビュー動作状態である場合、前記現在のチャネルに関連付けられているチャネルビューを露出するステップと、
前記デバイスが前記グランスビュー動作状態に入った場合、前記現在のチャネルのために前記デバイス内で露出されるチャネルビューを識別する項目のリストを含むプレイリストを作成するステップと、
前記デバイスが前記グランスビュー動作状態である間、前記プレイリストを処理するステップであって、そこでは、
前記プレイリスト内で未処理の項目に対応する次の項目を、前記プレイリストから選択するステップと、
前記選択された項目に関連付けられている前記チャネルビューを起動するステップと、
前記起動されたチャネルビューを示すように前記ディスプレイを更新するステップであって、前記起動されたチャネルビューは、グランサブルビューイングのためにフォーマットされるコンテンツを含むステップとを含むステップと、
前記デバイスが前記グランスビュー動作状態であり、前記プレイリスト内のあらゆる項目が処理された場合、前記プレイリストを更新するステップと
を備えることを特徴とする方法。
【請求項８】
所定の時間間隔が能動的ユーザインタラクションなしに満了した後、前記グランスビュー動作状態に入るステップをさらに備えることを特徴とする請求項７に記載の方法。
【請求項９】
能動的ユーザインタラクションの後、前記グランスビュー動作状態から出るステップをさらに備えることを特徴とする請求項７に記載の方法。
【請求項１０】
前記デバイスが前記グランスビュー動作状態に入った場合、前記現在のチャネルに関連付けられているルールセットを露出するステップをさらに備えることを特徴とする請求項７に記載の方法。
【請求項１１】
前記プレイリストを作成するステップは、前記現在のチャネルに関連付けられている前記ルールセットを適用して、前記プレイリストのためのチャネルビューを選択するステップをさらに備えることを特徴とする請求項１０に記載の方法。
【請求項１２】
前記ルールセットは、先に閲覧されていないチャネルビューを選択するステップ、最も長い間アクセスされていないチャネルビューを選ぶステップ、最高優先順位のチャネルビューを選択するステップ、最近受信されたチャネルビューを選択するステップ、代替ビューを選択するステップ、チャネルビューをランダム選択するステップ、チャネルビューを擬似ランダム選択するステップ、および制限された数のチャネルビューを選択するステップのうち、少なくとも１つを含むことを特徴とする請求項１１に記載の方法。
【請求項１３】
チャネルビューを露出するステップは、前記デバイスが前記グランスビュー動作状態に入った場合、前記現在のチャネルに関連付けられているルールセットを露出するステップ、前記ルールセットを前記現在のチャネルに適用するステップ、および、前記ルールセットを満たすチャネルビューを露出するステップをさらに備えることを特徴とする請求項７に記載の方法。
【請求項１４】
前記現在のチャネルは、カスタマイズされたチャネルに対応し、前記カスタマイズされたチャネル内のあらゆるビューが、前記デバイス内の別のチャネルに関連付けられていることを特徴とする請求項７に記載の方法。
【請求項１５】
前記現在のチャネルは、第１のチャネルおよび第２のチャネルを参照するカスタマイズされたチャネルに対応し、前記第１のチャネルは、前記第２のチャネルとは異なるルールセットを有することを特徴とする請求項７に記載の方法。
【請求項１６】
前記現在のチャネルは、第１のチャネルおよび第２のチャネルを参照するカスタマイズされたチャネルに対応し、前記プレイリストを作成するステップは、前記第１のチャネルから第１のチャネルビューを識別するステップ、および、前記第２のチャネルから第２のチャネルビューを識別するステップを含むことを特徴とする請求項７に記載の方法。
【請求項１７】
前記第１のチャネルビューを識別する前記ステップは、前記第１のチャネルに関連付けられている第１のルールセットを適用して、前記プレイリストのためのチャネルビューを選択するステップ、および、前記第２のチャネルに関連付けられている第２のルールセットを適用して、前記プレイリストのためのもう１つのチャネルビューを選択するステップをさらに備えることを特徴とする請求項１６に記載の方法。
【請求項１８】
前記プレイリストを処理するステップは、前記起動されたチャネルビューに関連付けられているコンテンツを、対応する表示がグランサブルであるようにフォーマットするステップをさらに備えることを特徴とする請求項７に記載の方法。
【請求項１９】
前記プレイリストを処理するステップは、前記選択された項目に関連付けられている前記チャネルビューに関連付けられている、グランサブルコンテンツを検索するステップをさらに備えることを特徴とする請求項７に記載の方法。
【請求項２０】
前記プレイリストを処理するステップは、前記プレイリスト内で前記次の項目を選択する前に、所定の時間間隔に渡ってアイドリングするステップをさらに備えることを特徴とする請求項７に記載の方法。
【請求項２１】
前記ディスプレイを更新するステップは、前記ディスプレイ上で前記現在のチャネルビューと次のチャネルビューの間で移行する移行シーケンスを起動するステップをさらに備えることを特徴とする請求項７に記載の方法。
【請求項２２】
前記移行シーケンスは、表示画面ワイプ効果、表示画面フェード効果、ハーフトーンピクセル効果および可聴効果のうち少なくとも１つに対応することを特徴とする請求項２１に記載の方法。
【請求項２３】
ディスプレイと、
メモリと、
セレクタを含むユーザインターフェースと、
前記ユーザインターフェースおよび前記ディスプレイと対話するように構成される電子システムとを備える装置であって、前記電子システムが、
前記デバイス内の現在のチャネルを識別するステップであって、前記デバイスは、前記現在のチャネルに関連付けられている、格納されたコンテンツを含むステップと、
所定の時間間隔が能動的ユーザインタラクションなしに満了した場合、受動的ナビゲーション動作状態を起動するステップと、
前記デバイスがグランスビュー動作状態である場合、現在のチャネルに関連付けられているグランサブルチャネルビューを選択するステップと、
他のデバイスとのインタラクションなしに前記デバイスのメモリからコンテンツを取り出すステップであって、そこでは、コンテンツは、前記受動的ナビゲーション動作状態が能動的になった場合に、前記コンテンツは前記現在のチャネルのためのグランサブルチャネルビューと関連付けられるステップと、
前記デバイスに関連付けられた表示ビューが前記選択され、取り出されたグランサブルチャネルビューに対応するように、前記ディスプレイを更新するステップと
を行うように構成されることを特徴とする装置。
【請求項２４】
ディスプレイと、
セレクタを含むユーザインターフェースと、
前記ユーザインターフェースおよび前記ディスプレイと対話するように構成される電子システムとを備える装置であって、前記電子システムが、
現在の動作状態を識別するステップであって、前記動作状態は、所定の時間間隔が前記セレクタの起動なしに満了した場合、グランスビュー動作状態に対応するステップと、
格納されたコンテンツに関連付けられている現在のチャネルを識別するステップと、
前記デバイスが前記グランスビュー動作状態である場合、前記現在のチャネルに関連付けられているチャネルビューを露出するステップと、
前記デバイスが前記グランスビュー動作状態に入った場合、前記現在のチャネルのために前記デバイス内で露出されるチャネルビューを識別する項目のリストを含むプレイリストを作成するステップと、
前記デバイスが前記グランスビュー動作状態である間、前記プレイリスト内の項目に関連付けられているコンテンツを表示するステップと、
前記デバイスが前記グランスビュー動作状態であり、前記プレイリスト内のあらゆる項目が処理された場合、前記プレイリストを更新するステップと
を行うように構成されることを特徴とする装置。
【請求項２５】
前記電子システムが、前記セレクタとの能動的ユーザインタラクションの後に、前記グランスビュー動作状態から出るようにさらに構成されることを特徴とする請求項２４に記載の装置。
【請求項２６】
グランサブルコンテンツを受動的にナビゲートするためのデバイスにおいて、
ディスプレイ手段と、
前記デバイス内の現在のチャネルと関連付けられた格納のコンテンツを保持するように構成されたメモリ手段と、
前記デバイス内の現在のチャネルを識別する手段と、
グランスビュー動作状態を起動する手段と、
少なくとも１つが前記グランスビュー動作状態で使用可能であるチャネルビューのための複数のチャネルビューを露出する手段であって、前記識別された各チャネルビューが前記現在のチャネルに関連付けられている手段と、
前記グランスビュー動作状態において利用可能な少なくとも１つのチャネルビューからグランサブルチャネルビューを選択するように構成される処理手段と、
前記メモリ手段から、選択のグランサブルチャネルビューと関連付けられ、格納されたコンテンツを取り出す手段と、
前記デバイスが前記グランスビュー動作状態である場合、前記選択されたグランサブルチャネルビューのための前記ディスプレイ手段の表示を更新するように構成された更新手段と
を備えることを特徴とするシステム。
【請求項２７】
前記処理する手段は、前記少なくとも１つの識別されたチャネルビューに関連付けられ、取り出されたコンテンツをフォーマットして、対応する表示がグランサブルであるように、選択の前記グランサブルチャネルビューを提供するように構成される、フォーマット手段をさらに備えることを特徴とする請求項２６に記載のシステム。
【請求項２８】
グランサブルコンテンツを受動的にナビゲートするためのシステムにおいて、
前記デバイス内の現在のチャネルを識別するように構成される、識別手段であって、前記システムが、前記現在のチャネルに関連付けられているコンテンツを格納するように構成される識別手段と、
グランスビュー動作状態を起動するように構成される、起動手段と、
前記グランスビュー動作状態で使用可能であるチャネルビューを識別するように構成される、チャネルビューを露出する手段と、
前記デバイスが前記グランスビュー動作状態に入った場合、プレイリストを作成するように構成される、作成手段であって、前記プレイリストは、前記識別されたチャネルビューに関連付けられている項目のリストを含む作成手段と、
前記システムが前記グランスビュー動作状態である間、前記プレイリストを処理するように構成される、処理手段であって、前記プレイリストから次の項目を選択するように構成される、選択手段、および、前記プレイリストから前記選択された項目に関連付けられているグランサブルコンテンツを表示するように構成される、表示手段をさらに備える処理手段と、
前記システムが前記グランスビュー動作状態であり、前記プレイリスト内のあらゆる項目が処理された場合、前記プレイリストを更新するように構成される、更新手段と
を備えることを特徴とするシステム。
【請求項２９】
前記処理する手段は、前記プレイリストからの前記選択された項目に関連付けられている前記チャネルビューのための前記コンテンツを、対応する表示がグランサブルであるようにフォーマットするように構成される、フォーマット手段をさらに備えることを特徴とする請求項２８に記載のシステム。
【請求項３０】
メモリ、ディスプレイおよびユーザにより使用するためのインターフェース選択デバイスを含むデバイス上の、格納のコンテンツをナビゲートする方法であって、
前記デバイスのメモリにコンテンツを格納するステップであって、そこでは前記格納のコンテンツは１つまたは複数のチャネルにしたがって編成されているステップと、
前記デバイスのメモリに格納のコンテンツを他のデバイスとのインタラクションなしに、情報処理するステップとを備え、該情報処理するステップでは、
能動的なユーザインタラクションなしに予め定められた時間間隔を超えた場合に受動的ナビゲーション動作状態を能動化するステップと、
ユーザが前記インターフェース選択デバイスとのインタラクションを初期化する場合に前記受動的ナビゲーション動作状態を非能動化するステップと、
前記デバイスについての現在のチャネルを識別するステップであって、そこでは現在のチャネルに関連する格納のコンテンツは１つまたは複数のビューを含むステップと、
前記受動的ナビゲーション動作状態が能動的になった場合、前記現在のチャネルと関連する１つまたは複数のビューを受動的にナビゲートするステップと、
前記デバイスのメモリからコンテンツを取り出すステップであって、そこでは、前記コンテンツは前記現在のチャネルのための現在のビューと関連付けされているステップと、
前記現在のビューのための、取り出されたコンテンツをフォーマットするステップであって、そこでは、フォーマットの振舞いは前記現在のチャネルのコンテキストにより決定されるステップと、
前記フォーマットされたコンテンツをグランサブルな情報として提示するように前記現在のチャネルの現在のビューのためのフォーマットされたコンテンツで前記ディスプレイを更新するステップと
を実行することを特徴とする格納のコンテンツをナビゲートする方法。
【請求項３１】
前記フォーマットするステップは、トランケート（ｔｒｕｎｃａｔｅｄ）なコンテンツはグランサブルなビューのための短縮フォーマットとなるように前記取り出され、前記現在のビューと関連のコンテンツをトランケートするステップをさらに有することを特徴とする請求項３０に記載の格納のコンテンツをナビゲートする方法。
【請求項３２】
前記受動的ナビゲーション動作状態が非能動化された場合、前記取り出されたコンテンツの完全な非トランケート部分を取り出すステップをさらに有することを特徴とする請求項３１に記載の格納のコンテンツをナビゲートする方法。
【手続補正２】
【補正対象書類名】明細書
【補正対象項目名】０１３２
【補正方法】変更
【補正の内容】
【０１３２】
以上、説明したように上述の実施形態では、チャネルに従って編成される格納された情報を含む、デバイス上のコンテンツ中をナビゲートすることができるので、ナビゲート機能性が従来よりも高まる。